(57)【要約】【課題】手探り状態でも片手で簡単に容器の開閉操作をすることができ、かつフィット感良好な容器を提供することを目的とする。【解決手段】２以上の縦横比を有し、かつ２以下の横奥比を有する縦長形状の容器であって、該容器の端部にスライド式の開口部を有し、かつ前記容器の横切断面が、左右対称かつ上下非対称の形状を有することを特徴とする、容器である。【選択図】図１
2007320611.tif 000002
【特許請求の範囲】
【請求項１】
２以上の縦横比を有し、かつ２以下の横奥比を有する縦長形状の容器であって、該容器の端部にスライド式の開口部を有し、かつ前記容器の横切断面が、左右対称かつ上下非対称の形状を有することを特徴とする、容器。
【請求項２】
前記容器の横切断面は、少なくとも一部の、曲面部分を有することを特徴とする、請求項１記載の容器。
【請求項３】
前記容器の横切断面は、かまぼこ型の形状であることを特徴とする、請求項１乃至２記載の容器。
【請求項４】
前記スライド式の開口部は、前記容器の一部を切り取ってなる開口部と、該開口部を覆う前記容器の一部を切り取ってなる形状を有するスライドカバーと、からなり、前記開口部および前記スライドカバーに、それぞれスライドレールを形成してこれらを係合することにより、前記スライドカバーを前記開口部にスライド自在に形成したことを特徴とする、請求項１乃至３記載の容器。
【請求項５】
前記スライドカバーは、前記容器の側面の少なくとも一部を斜めに切り取った形状の斜辺部を有し、かつ該斜辺部に沿ってスライドレールを形成し、他方、前記容器の側面の少なくとも一部を斜めに切り取った前記斜辺部にスライドレールを形成してこれらを係合することにより、前記スライドカバーが前記スライドレールに沿って斜め方向にスライドすることを特徴とする、請求項１乃至４記載の容器。
【請求項６】
前記スライドカバーの内側に凸形状の係合部を形成し、他方、前記容器にスライド孔を形成して、前記係合部が前記スライド孔に係合しつつ、該スライド孔に沿って、前記スライドカバーをスライド自在に形成したことを特徴とする、請求項１乃至５記載の容器。
【請求項７】
前記スライドカバーの内側に凸形状のストッパを形成して、前記開口部の縁に前記ストッパが当接することにより、前記スライドカバーのスライドが停止されることを特徴とする、請求項４乃至６記載の容器。
【請求項８】
前記スライドカバーの内側に凸形状の突起を形成し、前記開口部の縁に段差部を形成して、前記突起が前記段差部に係合することにより、前記スライドカバーをロックすることを特徴とする、請求項４乃至７記載の容器。
【請求項９】
前記スライドカバーの少なくとも一部に、凹凸形状からなる操作部を形成したことを特徴とする、請求項４乃至８記載の容器。
【請求項１０】
前記容器の端部に開閉可能な蓋部を形成したことを特徴とする、請求項１乃至９記載の容器。
【請求項１１】
前記蓋部は、前記容器本体にヒンジを介して連結することを特徴とする、請求項１０記載の容器。
【発明の詳細な説明】
【技術分野】
【０００１】
本発明は、縦長形状を有する振り出し容器に関する。
【背景技術】
【０００２】
清涼用粒菓や錠菓等の粒状物を小出しに使用するための振出し容器としては、例えば特許文献１に示すような、カード型のケースに設けた小出し用の穴を開閉自在のキャップによって開閉するようにしたものが、従来から知られている。しかし、この種のケースは、開封のためのキャップが、ケースの側辺に形成されているため、手探りの状態でキャップを操作する際に、キャップの位置を容易に認識することができず、ケースを何度も持ち変える必要がある場合が多い。
【０００３】
例えば、図１０に示すように、ヒンジを介して回動するキャップＢがカードケースＡの表面Ｃの左上側辺に形成されている場合、表面Ｃを上側にして持ち、かつ、キャップＢが左上に位置するように持つことができれば、キャップＢを親指の先端で矢印の方向へと回動することにより、簡単に開封することができる。
しかし、キャップＢが右下に位置するように持ってしまうと、その後、ケースＡを水平に１８０度回転させて、キャップＢが左上の位置になるよう持ち直す必要がある。
また、ケースＡの裏面を上側にして持ってしまうと、カードＡを表面へとひっくり返して反転させる必要がある。また、反転させた際に、キャップＢが右下に位置した場合、さらに１８０度水平に回転させて、キャップＢが左上の位置になるように再度持ち替える動作が必要である。このように、上記例では、手探りの状態でケースを掴んだ際に、正しい位置でケースＡを持つ確率、すなわちキャップＢを認識することができる確率は４回に１回の割合である。
【０００４】
このように、キャップの位置を容易に認識することができず、ケースを何度も持ち変えるのは、主に立方体の容器の左右上下が対称形状であることが大きな要因の一つである。この種の容器は、主に片手で容器を持ちながら開閉封操作を行なうことができるため、消費者は、ポケットやバックの中に入れた容器を取り出しつつ、同時にキャップの開閉封操作をする場合が多い。しかし、上述のように、容器を持った瞬間にキャップの位置を認識することができず何度も持ち替えながらキャップの位置を手探りするストレスが生じてしまう。また、スティック形状の容器の場合でも同様に、左右上下が対称形状であることが多く、スティックを手のひらで回しながら操作部を手探りする手間を要する場合が多い。
【０００５】
【特許文献１】特開２００５−１８７０７７号公報
【発明の開示】
【発明が解決しようとする課題】
【０００６】
これらの課題を解決し、容器を直接目視しない手探りの状態であっても、片手で簡単に容器の開口部を認識して開閉操作をすることができ、かつフィット感良好な容器を提供することを目的とする。
【課題を解決するための手段】
【０００７】
上記課題を解決すべく、本発明の請求項１は、２以上の縦横比を有し、かつ２以下の横奥比を有する縦長形状の容器であって、該容器の端部にスライド式の開口部を有し、かつ前記容器の横切断面が、左右対称かつ上下非対称の形状を有することを特徴とする、容器である。
【０００８】
請求項２記載の発明は、前記容器の横切断面は、少なくとも一部の、曲面部分を有することを特徴とする、容器である。
【０００９】
請求項３記載の発明は、前記容器の横切断面は、かまぼこ型の形状であることを特徴とする、容器である。
【００１０】
請求項４記載の発明は、前記スライド式の開口部は、前記容器の一部を切り取ってなる開口部と、該開口部を覆う前記容器の一部を切り取ってなる形状を有するスライドカバーと、からなり、前記開口部および前記スライドカバーに、それぞれスライドレールを形成してこれらを係合することにより、前記スライドカバーを前記開口部にスライド自在に形成したことを特徴とする、容器である。
【００１１】
請求項５記載の発明は、前記スライドカバーは、前記容器の側面の少なくとも一部を斜めに切り取った形状の斜辺部を有し、かつ該斜辺部に沿ってスライドレールを形成し、他方、前記容器の側面の少なくとも一部を斜めに切り取った前記斜辺部にスライドレールを形成してこれらを係合することにより、前記スライドカバーが前記スライドレールに沿って斜め方向にスライドすることを特徴とする、容器である。
【００１２】
請求項６記載の発明は、前記スライドカバーの内側に凸形状の係合部を形成し、他方、前記容器にスライド孔を形成して、前記係合部が前記スライド孔に係合しつつ、該スライド孔に沿って、前記スライドカバーをスライド自在に形成したことを特徴とする、容器である。
【００１３】
請求項７記載の発明は、前記スライドカバーの内側に凸形状のストッパを形成して、前記開口部の縁に前記ストッパが当接することにより、前記スライドカバーのスライドが停止されることを特徴とする、容器である。
【００１４】
請求項８記載の発明は、前記スライドカバーの内側に凸形状の突起を形成し、前記開口部の縁に段差部を形成して、前記突起が前記段差部に係合することにより、前記スライドカバーをロックすることを特徴とする、容器である。
【００１５】
請求項９記載の発明は、前記スライドカバーの少なくとも一部に、凹凸形状からなる操作部を形成したことを特徴とする、容器である。
【００１６】
請求項１０記載の発明は、前記容器の端部に開閉可能な蓋部を形成したことを特徴とする、容器である。
【００１７】
請求項１１記載の発明は、前記蓋部は、前記容器本体にヒンジを介して連結することを特徴とする、容器である。
【発明の効果】
【００１８】
本発明の請求項１は、２以上の縦横比を有し、かつ２以下の横奥比を有する縦長形状の容器であって、該容器の端部にスライド式の開口部を有し、かつ前記容器の横切断面が、左右対称かつ上下非対称の形状を有することを特徴とするから、開封性の良い容器を提供することが可能である。
【００１９】
また、請求項２記載の発明は、前記容器の横切断面は、少なくとも一部の、曲面部分を有することを特徴とするから、手に持ったとき、フィット感の良い容器を提供することが可能である。
【００２０】
また、請求項３記載の発明は、前記容器の横切断面は、かまぼこ型の形状であることを特徴とするから、手に持ったとき、フィット感の良い容器を提供することが可能である。
【００２１】
また、請求項４記載の発明は、前記スライド式の開口部は、前記容器の一部を切り取ってなる開口部と、該開口部を覆う前記容器の一部を切り取ってなる形状を有するスライドカバーと、からなり、前記開口部および前記スライドカバーに、それぞれスライドレールを形成してこれらを係合することにより、前記スライドカバーを前記開口部にスライド自在に形成したことを特徴とするから、容器の外観を損なうことなく、開口部を形成することが可能である。
【００２２】
また、請求項５記載の発明は、前記スライドカバーは、前記容器の側面の少なくとも一部を斜めに切り取った形状の斜辺部を有し、かつ該斜辺部に沿ってスライドレールを形成し、他方、前記容器の側面の少なくとも一部を斜めに切り取った前記斜辺部にスライドレールを形成してこれらを係合することにより、前記スライドカバーが前記スライドレールに沿って斜め方向にスライドすることを特徴とするから、容器の外観を損なうことなく、開口部を形成することが可能であり、かつ、親指の動きに沿った、斜め方向の自然なスライド開閉動作が可能である。
【００２３】
また、請求項６記載の発明は、前記スライドカバーの内側に凸形状の係合部を形成し、他方、前記容器にスライド孔を形成して、前記係合部が前記スライド孔に係合しつつ、該スライド孔に沿って、前記スライドカバーをスライド自在に形成したことを特徴とするから、スライドカバーを容器に強固に係合することが可能であり、スライドカバーが容器から脱落してしまうようなことがない。よって、長期間安定したスライド操作を維持することが可能である。
【００２４】
また、請求項７記載の発明は、前記スライドカバーの内側に凸形状のストッパを形成して、前記開口部の縁に前記ストッパが当接することにより、前記スライドカバーのスライドが停止されることを特徴とするから、簡単な構成により、スライドカバーの開口限度を調節することが可能である。
【００２５】
また、請求項８記載の発明は、前記スライドカバーの内側に凸形状の突起を形成し、前記開口部の縁に段差部を形成して、前記突起が前記段差部に係合することにより、前記スライドカバーをロックすることを特徴とするから、スライドカバーが自然に開封してしまうようなことがなく、簡単な構成により、スライドカバーをロックすることが可能である。
【００２６】
また、請求項９記載の発明は、前記スライドカバーの少なくとも一部に、凹凸形状からなる操作部を形成したことを特徴とするから、容器を目視することなく、手探りの状態でも簡単にスライドカバーの操作部を認識することが可能である。また、スライドカバーをスライドさせる際の指のすべり防止としての作用を有することが可能である。
【００２７】
また、請求項１０記載の発明は、前記容器の端部に開閉可能な蓋部を形成したことを特徴とするから、内容物を簡単に充填、再充填することが可能であり、リサイクル容器としても利用可能である。
【００２８】
また、請求項１１記載の発明は、前記蓋部は、前記容器本体にヒンジを介して連結することを特徴とするから、容器本体と蓋部とをヒンジを介して連結することが可能である。
【発明を実施するための最良の形態】
【００２９】
図１は本発明に係る容器１０の（ａ）上面視（ｂ）正面視（ｃ）斜視図を、それぞれ示す。容器１０は、縦ｘ、横ｙ、奥ｚの長さの比がそれぞれ、縦横比（ｘ／ｙ）が２以上、かつ横奥比（ｙ／ｚ）が２以下、からなる棒形状の容器１０であり、容器本体２０の上端部に、スライド式の開口部３０を有している。特に、図１（ａ）に示すように、容器１０の横切断面は、左右対称かつ上下非対称の形状を有しており、上半分が平面部ｈを有する略四角形状、下半分が半円形状からなる曲面部ｗを有する、略かまぼこ形状となっている。
【００３０】
このように、容器１０の断面形状をかまぼこ型とすることにより、消費者が容器を片手で持った際に、曲面部ｗが手の平にフィットし、この曲面部ｗを包み込むように掴むと、親指の先端が容器１０の平面部ｈへと、自然に触れるような形状となっている。
このため、持ち心地が良く、かつ、図７に示すように、自然と親指が操作部に触れるため、その後の開封動作がスムーズに行なえる効果がある。
【００３１】
前記スライド式の開口部３０は、図２に示すように、容器本体２０に形成された、内容物を取り出すための開口部３と、該開口部３をスライドして覆う、容器１０の一部を斜めに切り取った形状からなるスライドカバー７とからなる。
スライドカバー７および開口部３の両側面は、それぞれ容器１０の一部を斜めに切り取った形状の斜辺部Ｓを有し、該斜辺部Ｓに沿ってスライドカバー７が斜め方向へとスライドする。特に、スライドカバー７を開口方向にスライドすると、図２（ｂ）に示すように、容器本体２０から大きくずれた形状となる。よって、スライドカバー開封時の形状変化が著しく、使用者に容器の閉め忘れなどを容易に気付かせることが可能である。
【００３２】
このように、容器１０の開封方向を斜め方向とすることにより、操作部に触れた親指の第一関節を軽く上下運動させるだけで、スライドカバー７を斜め方向へと動作させて、簡単にスライドカバーを開閉封することが可能である。
【００３３】
スライドカバー７は、詳しくは、図３（ａ）に示すように、スライドカバー７の上部には、スライドカバー７を指の腹等で前後に摺動させる際に滑り止めの効果を有する、複数の凹凸形状の部材からなる操作部Ｆが形成されている。
そして、図３（ｂ）に示すように、スライドカバー７の内側は、前記斜辺部Ｓに沿って凸形状のスライドレールＬが形成されている。そして、前方には垂直の壁形状からなる複数のストッパーＰが形成され、後方には凸形状の複数の突起Ｄが形成されている。
そして、後述する、スライドカバー７の開封時において、図示しない、容器本体２０の開口部３の上縁に前記スライドカバー７のストッパＰが当接することにより開封時のスライドを停止させ、また、スライドカバー７の閉封時において、容器本体２０の開口部３の上部に形成された段差部ｄに前記ロック用の突起Ｄが係合することにより閉封時にスライドカバー７をロックすることが可能である。
【００３４】
一方、容器本体２０は、図４に示すように、容器本体２０の前方に形成された開口部３の左右両側には、斜辺部Ｓに沿って凹形状のスライドレールＥが形成されている。また、該開口部３の上方には段差部ｄが形成されている。
そして、図５に示すように、開口部３に形成されたスライドレールＥに、前記スライドカバー７に形成されたスライドレールＬを係合することにより、スライドカバー７を容器本体２０へとスライド自在に形成している。
【００３５】
次に、容器１０の開封と閉封の方法について説明する。
まず、容器１０の開封時には、図６（ａ）に示すように、スライドカバー７をスライドレールに沿って後方（矢印の方向）へと斜めにスライドさせて、スライドカバー３に形成されたストッパＰ部分と開口部３の縁とが当接する位置までスライドさせることが可能である。他方、容器１０の閉封時には、図６（ｂ）に示すように、スライドカバー７を前方（矢印の方向）へと斜めにスライドさせると、閉封する際にスライドカバー７のロック用突起Ｄが、容器本体の段差部ｄへと係合して、スライドカバー７のロックが行なわれる構成である。
【００３６】
このように縦長形状の容器１０のスライドカバー７の移動方向を、斜め方向とすることにより、図７に示すように、使用者は容器を片手に保持して、親指の第一関節を自然に折り曲げる動作のみで、簡単にスライドカバー７の開閉封操作を行なうことができる。
また、容器１０の形状が上下非対称の形状であるため、容器を握るだけで容器１０の上下面を区別することが可能である。また、容器１０の形状が左右対称の形状であるため、左右の利き手を選ぶことなく、右手で持っても、左手で持っても操作することが可能である。さらには、容器１０が、平面部ｈと曲面部ｗとからなる略かまぼこ形状を有することで、平面部ｈはスライド開閉操作がしやすく、曲面部ｗは手に持ったときにフィットしやすく持ちやすい効果がある。
【００３７】
スライド式の開口部３０の構成は、親指の自然な動きを考慮した場合、スライドカバー７が斜め方向にスライドすることが好ましい。スライドカバーを斜め方向へと移動させる構成は、上述のスライドレールを用いる構成以外にも、例えば、図８に示すように、（ａ）スライドカバー７に凸形状の係合部Ｂを設けて、（ｂ）かつ容器本体２０の前記開口部３の上方にスライド孔ｂを別途設けて、（ｃ）これら係合部Ｂとスライド孔ｂとを係合してスライド自在に形成しても良い。また、スライドレールと係合部とを同時に形成することにより、スライドカバー７が容易にスライドレールから外れてしまうことのない、強固なスライド機構とすることが可能である。
【００３８】
本発明の容器１０に内容物を充填する場合、前記スライドカバーの開口部から充填しても良く、また、図９に示すように、容器１０の下端に内容物を充填するための開閉可能な蓋部Ｇを形成しても良い。
【００３９】
この場合、図９（ａ）に示すように、容器本体２０の断面形状と略同一の形状を有する蓋部Ｇを、容器本体２０の端部に、ヒンジＶを介して連結することにより、開閉自在な蓋部Ｇを形成することが可能である。また、図９（ｂ）に示すように、容器本体２０とは別部材からなる蓋部Ｇを容器本体２０に嵌合自在に形成しても良い。このように、容器本体２０の端部に蓋部Ｇを形成することにより、内容物を容易に充填することが可能であり、また、空になった容器１０に内容物を前記蓋部Ｇから簡単に再充填することができるため、リサイクル容器としても利用可能である。
【００４０】
以上のように、本発明の容器１０は、左右対称かつ上下非対称の横断面形状を有するから、容器１０を目視することなく、触っただけで容器の上下を認識可能であり、目視することなく手探り状態でも簡単に開封操作ができる。また、左右の利き手を選ばずに片手で簡単にスライドカバーの開閉操作をすることができ、かつ容器の下面を曲面部とすることにより、フィット感良好な容器を提供することが可能である。
【００４１】
また、容器１０のスライド開口部３０は、スライドカバー７のスライドが、親指の自然な動きのメカニズムを考慮した、斜め方向にスライドして開閉を行なう機構であるから、ストレスなく軽いタッチで開封フィーリングの良いロック機構を有する容器である。
【００４２】
また、スライドカバー７は、閉じたとき、容器が一体形状となり、スライドカバー７を開口すると、スライドカバー７が容器本体２０から大きくずれた形状となる。したがって、形状変化が著しく、容器１０の閉め忘れなどを容易に判断することができる効果がある。さらに、容器１０は、縦横比が２以上、かつ横奥比が２以下の縦長形状とすることでハンドリングが良く、また、かばんやポケットに収納しやすく持ち運びに便利な、携帯性の良い容器を提供することができる。
【００４３】
また、縦長形状の容器の一端に内容物を取り出すスライドカバーと開口部とからなる開封機構を形成し、容器の他端に内容物を充填する蓋部を形成しても良く、内容物を再充填可能なリサイクル容器としても利用可能である。また、スライドカバー７に形成される凹凸形状の部材からなる操作部Ｆは、凹凸形状を有する部材であればその形状は限定されず、例えば、凸形状のドットや、凹形状の窪みでも良く、また、スライドカバー７の何れの面に形成しても良い。特に、スライドカバー７の天面および上面に形成することにより、スライドカバー７の開封時および閉封時のスライド操作を確実に行なうことができ、操作性を向上できる効果がある。
【００４４】
本発明の容器１０として、上半分が略四角形状、下半分が半円形状からなる、かまぼこ形状を示したが、これに限らず、容器１０の横切断面が、左右対称かつ上下非対称の形状を有していればよく、例えば、ハート型や、三角形状や、これらと円形状との組み合わせなど様々な形状が考えられる。
【図面の簡単な説明】
【００４５】
【図１】本発明の容器を示す（ａ）上面図（ｂ）正面図（ｃ）斜視図である。
【図２】スライドカバーの（ａ）閉封時、および（ｂ）開封時を示す図である。
【図３】スライドカバーの（ａ）外側を示す斜視図と、（ｂ）内側を示す斜視図である。
【図４】容器本体の開口部を示す図である。
【図５】容器本体の開口部を示す斜視図（ｂ）と、キャップを係合した場合のＡ−Ａ'断面図（ａ）を示す。
【図６】スライドカバーの（ａ）開封時、および（ｂ）閉封時（ロック時）を示す、容器の縦方向切断斜視図である。
【図７】本発明の容器を片手で持った際の説明図である。
【図８】スライド式の開口部の別の例を示す説明図である。（ａ）スライドカバーを示す図（ｂ）容器本体を示す図（ｃ）スライドカバーを容器本体に係合した場合を示す図。
【図９】容器本体に蓋部を形成した場合を示す図である。（ａ）蓋部閉封時（ｂ）蓋部開封時。
【図１０】従来のカード型ケースを片手で操作する際の説明図である。
【符号の説明】
【００４６】
３  容器の開口部（開口部）
７  スライドカバー
１０  容器（縦長容器）
２０  容器本体
３０  スライド式の開口部
ｗ  曲面部
ｈ  平面部
Ｓ  斜辺部
Ｆ  操作部
Ｌ  スライドレール
Ｅ  スライドレール
Ｐ  ストッパ
Ｄ  ロック用の突起
ｄ  段差部
【図１】
2007320611.tif 000003
【図２】
2007320611.tif 000004
【図３】
2007320611.tif 000005
【図４】
2007320611.tif 000006
【図５】
2007320611.tif 000007
【図６】
2007320611.tif 000008
【図７】
2007320611.tif 000009
【図８】
2007320611.tif 000010
【図９】
2007320611.tif 000011
【図１０】
2007320611.tif 000012